(57)【特許請求の範囲】
【請求項１】
給気用ファンおよび排気用ファンを備え、内部の給気経路には、室外の浮遊粒子を検知する検知手段と、前記浮遊粒子の飛散量によって前記給気ファンと排気ファンを制御する制御手段を備え、前記浮遊粒子を検知する検知手段が前記制御手段で設定されている浮遊粒子の飛散量と比較した結果に応じて換気装置内部にある給気ファンと排気ファンの風量を変化させて換気をする換気装置であって、前日の浮遊粒子のパターンを記憶する記憶手段と前日と現在の状態の浮遊粒子量を比較する比較手段を制御手段に備え、前記比較手段で比較した結果同じ浮遊粒子の量が得られた場合は、前日の浮遊粒子の量の判定結果から浮遊粒子の飛散量を予測して前日の運転パターンより早めに給気ファンと排気ファンの風量を制御して、室外の浮遊粒子の侵入を抑制するように制御する換気装置。
【請求項２】
浮遊粒子を検知する検知手段が前記制御手段で設定されている浮遊粒子の飛散量を超えた場合は、換気装置内部にある給気ファンと排気ファンの風量を弱運転に切り換えて換気することを特徴とした請求項１記載の換気装置。
【請求項３】
浮遊粒子を検知する検知手段が前記制御手段で設定されている浮遊粒子の飛散量より少ない場合は、換気装置内部にある給気ファンと排気ファンの風量を定常状態に戻して換気することを特徴とした請求項１記載の換気装置。
【請求項４】
浮遊粒子検知手段の代わりに、花粉を検知する花粉検知手段を設けた請求項１記載の換気装置。
【請求項５】
浮遊粒子検知手段の代わりに、粉塵を検知する粉塵検知手段を設けた請求項１記載の換気装置。
【請求項６】
浮遊粒子の飛散量を表示する表示手段を設けた請求項１記載の換気装置。
【請求項７】
季節によって予想できる浮遊粒子の飛散量を記憶手段で記憶し、季節を切り換える季節切り換え手段を換気装置に備え、前記季節を切り換える切り替え手段を切り換えることによって、前記給気ファンと排気ファンの風量を切り換えることを特徴とした請求項１記載の換気装置。
【請求項８】
季節切り換え手段の代わりに、天候を判定する天候判定手段を設けた請求項７記載の換気装置。
【請求項９】
温度を判定する温度検知手段を設けた請求項８記載の換気装置。
【請求項１０】
昼夜を判定する昼夜判定手段を設け、前記昼夜判定手段で夜と判定された場合は、換気装置内部にある給気を停止することを特徴とした請求項１記載の換気装置。
【請求項１１】
人の活動を検知する検知手段を備え、人の活動状態で換気装置内部にある給気ファンと排気ファンの風量を変化することを特徴とした請求項１記載の換気装置。
【請求項１２】
人の活動を検知する代わりにＣＯ↓２検知手段を備えた請求項１記載の換気装置。
【請求項１３】
第２の給気経路を備え、第２の給気経路には、フィルターの取り付け部分を備え、給気経路にはダンパーを備え、前記ダンパーは浮遊粒子の飛散量によって給気経路を変えることを特徴とした請求項１記載の換気装置。
【発明の詳細な説明】
【技術分野】
【０００１】
本発明は、建物に取り付けられ、浮遊粒子の飛散量の状態によってファンを制御する換気装置に関する。
【背景技術】
【０００２】
近年、花粉症は国民病と言われている。１０人に一人以上が花粉症に悩んでいると言われており、その数は年々増加傾向にあることが知られている。
【０００３】
従来、この種の換気装置には、浮遊粒子を取り除くために給気ファン側にフィルターを取り付けて、浮遊粒子（例えば、花粉，粉塵等）を取り除く構造となっていた。（例えば、特許文献１参照）。以下、その換気装置としての換気システムについて図１２を参照しながら説明する。
【０００４】
室内側１０１と屋外側１０２とを連通させて排気経路１０３と給気経路１０４を設け、この排気経路１０３と給気経路１０４とを途中で交差させて全熱交換器１０５を設けると共に、前記排気経路の要所に排気用ファン１０６を配設し、前記給気経路１０４の要所には給気用ファン１０７と花粉や粉塵等を吸着する第１のフィルター１０８を配設し、更に一端は室内側１０１に開口し他端は前記給気経路１０４の途中に接続する還気経路１０９を設け、この還気経路１０９の要所に化学物質を吸着する第２のフィルター１１０を配設し、かつ室内側１０１に化学物質を検知するセンサー１１１を設け、このセンサーにより前記排気用ファン１０６及び給気用ファン１０７を作動制御するように構成してなる換気システムであった。
【先行技術文献】
【特許文献】
【０００５】
【特許文献１】特開平１０−１１０９８９号公報
【発明の概要】
【発明が解決しようとする課題】
【０００６】
このような従来の換気システムでは、花粉や粉塵等の浮遊粒子を居室内への侵入を防ぐためにフィルターを配置して取り除いているが、この従来の換気システムが建物に据え付けられている場合には、比較的高所に設置されることが多いため、フィルターの掃除を行うことは、非常に手間がかかり危険をともなうという課題があった。また、換気システム使用者がフィルターの掃除を忘れてフィルターが目詰まりした場合、必要な換気回数が確保できないという課題があった。
【０００７】
本発明は、このような従来の課題を解決するもので、フィルターを使用せず室内への浮遊粒子を抑制することができ、使用者がフィルターの掃除、メンテナンス時間を削減することができるとともに、換気回数を確保することができる簡便で省エネルギー、低価格、効果的な換気ができる換気装置を提供することを目的とする。
【課題を解決するための手段】
【０００８】
上記課題を解決するために本発明の換気装置は、給気用ファンおよび排気用ファンを備え、内部の給気経路には、室外の浮遊粒子を検知する検知手段と、前記浮遊粒子の飛散量によって前記給気ファンと排気ファンを制御する制御手段を備え、前記浮遊粒子を検知する検知手段が前記制御手段で設定されている浮遊粒子の飛散量と比較した結果に応じて換気装置内部にある給気ファンと排気ファンの風量を変化させて換気をする換気装置であって、前日の浮遊粒子のパターンを記憶する記憶手段と前日と現在の状態の浮遊粒子量を比較する比較手段を制御手段に備え、前記比較手段で比較した結果同じ浮遊粒子の量が得られた場合は、前日の浮遊粒子の量の判定結果から浮遊粒子の飛散量を予測して前日の運転パターンより早めに給気ファンと排気ファンの風量を制御して、室外の浮遊粒子の侵入を抑制することを特徴とする。
【０００９】
また、本発明の換気装置は、浮遊粒子を検知する検知手段が前記制御手段で設定されている浮遊粒子の飛散量を超えた場合は、換気装置内部にある給気ファンと排気ファンの風量を弱運転に切り換えて換気することを特徴とする。
【００１０】
また、本発明の換気装置は、浮遊粒子を検知する検知手段が前記制御手段で設定されている浮遊粒子の飛散量より少ない場合は、換気装置内部にある給気ファンと排気ファンの風量を定常状態に戻して換気することを特徴とする。
【００１１】
また、本発明の換気装置は、浮遊粒子検知手段の代わりに花粉を検知する花粉検知手段を設けたことを特徴とする。
【００１２】
また、本発明の換気装置は、浮遊粒子検知手段の代わりに粉塵を検知する粉塵検知手段を設けたことを特徴とする。
【００１３】
また、浮遊粒子の飛散量を表示する表示手段を設けたことを特徴とする。
【００１４】
また、季節によって予想できる浮遊粒子の飛散量を記憶手段で記憶し、季節を切り換える季節切り換え手段を換気装置に備え、前記季節を切り換える切り替え手段を切り換えることによって、前記給気ファンと排気ファンの風量を切り換えることを特徴とする。
【００１５】
また、季節切り換え手段の代わりに天候を判定する天候判定手段を設けたことを特徴とする。
【００１６】
また、温度を検知する温度設定手段を設けたことを特徴とする。
【００１７】
また、昼夜を判定する昼夜判定手段を設け、前記昼夜判定手段で夜と判定された場合は、換気装置内部にある給気を停止することを特徴とする。
【００１８】
また、人の活動を検知する検知手段を備え、人の活動状態で換気装置内部にあるある給気ファンと排気ファンの風量を変化することを特徴とする。
【００１９】
また、人の活動を検知する代わりにＣＯ↓２検知手段を備えたことを特徴とする。
【００２０】
また、第２の給気経路を備え、第２の給気経路には、フィルターの取り付け部分を備え、給気経路にはダンパーを備え、前記ダンパーは浮遊粒子の飛散量によって給気経路を変えることを特徴とする換気装置。
【発明の効果】
【００２１】
本発明によれば、フィルターを利用せずに浮遊粒子を抑制するため、使用者がフィルターの掃除、メンテナンス時間の削減ができるとともに、換気回数を確保することができ、正確に浮遊粒子を室内側に侵入することを防止する換気装置を提供することができる。
【図面の簡単な説明】
【００２２】
【図１】本発明の前提例１の換気装置の取り付け状態を示す側断面図
【図２】同換気装置を壁部に取り付けた状態を示す断面図
【図３】同換気装置の運転動作を示すフローチャート
【図４】同実施の形態１の換気装置を壁部に取り付けた状態を示す断面図
【図５】同送風装置の運転動作を示すフローチャート
【図６】同実施の形態２の換気装置を壁部に取り付けた状態を示す断面図
【図７】同送風装置の運転動作を示すフローチャート
【図８】同実施の形態３の換気装置を壁部に取り付けた状態を示す断面図
【図９】同送風装置の運転動作を示すフローチャート
【図１０】同実施の形態４の換気装置の給気ダクト図
【図１１】同送風装置の運転動作を示すフローチャート
【図１２】従来の換気装置を示す構成図
【発明を実施するための形態】
【００２３】
請求項１に記載の換気装置の発明は、給気用ファンおよび排気用ファンを備え、内部の給気経路には、室外の浮遊粒子を検知する検知手段と、前記浮遊粒子の飛散量によって前記給気ファンと排気ファンを制御する制御手段を備え、前記浮遊粒子を検知する検知手段が前記制御手段で設定されている浮遊粒子の飛散量と比較した結果に応じて換気装置内部にある給気ファンと排気ファンの風量を変化させて換気をする換気装置であって、前日の浮遊粒子のパターンを記憶する記憶手段と前日と現在の状態の浮遊粒子量を比較する比較手段を制御手段に備え、前記比較手段で比較した結果同じ浮遊粒子の量が得られた場合は、前日の浮遊粒子の量の判定結果から浮遊粒子の飛散量を予測して前日の運転パターンより早めに給気ファンと排気ファンの風量で制御して、室外の浮遊粒子の侵入を抑制するように制御することを特徴とするものであり、比較手段で比較した結果前日と同じ浮遊粒子の量が得られた場合は、前日の給気ファンと排気ファンの風量を早めに制御することでより正確に浮遊粒子を室内側に侵入することを防止する換気装置を提供する。
【００２４】
請求項２に記載の換気装置の発明は、浮遊粒子を検知する検知手段が前記制御手段で設定されている浮遊粒子の飛散量を超えた場合は、換気装置内部にある給気ファンと排気ファンの風量を弱運転に切り換えて換気することを特徴とするものであり、外気の浮遊粒子の室内への流入、侵入を防ぎ、清浄な外気に換気する清浄換気をすることができる。
【００２５】
請求項３に記載の換気装置の発明は、浮遊粒子を検知する検知手段が前記制御手段で設定されている浮遊粒子の飛散量より少ない場合は、換気装置内部にある給気ファンと排気ファンの風量を定常状態に戻して換気することを特徴とするものであり、外気の浮遊粒子の室内への流入、侵入を防ぎ、清浄な外気に換気する清浄換気をすることができる。
【００２６】
請求項４に記載の発明は、前記浮遊粒子検知手段の代わりに花粉を検知する花粉検知手段を備えたことを特徴とするものであり、花粉の侵入、流入を防ぎ、清浄な外気に換気する清浄換気をすることができる。
【００２７】
請求項５に記載の発明は、前記浮遊粒子検知手段の代わりに粉塵を検知する粉塵検知手段を備えたことを特徴とするものであり、粉塵の侵入、流入を防ぎ、清浄な外気に換気する清浄換気をすることができる。
【００２８】
請求項６に記載の換気装置の発明は、浮遊粒子の飛散量を飛散量の量に応じて表示することを特徴とするため、外気中の浮遊粒子量、飛散量が分かり、使用者が外出時飛散量に応じてマスク等の防御が出来るため、使用者が花粉等の浮遊粒子から事前に防御することができる換気装置を提供することができる。
【００２９】
請求項７に記載の換気装置の発明は、季節によって予想できる浮遊粒子の飛散量を記憶手段で記憶し、季節を切り換える季節切り換え手段を換気装置に備え、前記季節を切り換える切り替え手段を切り換えることによって、前記給気ファンと排気ファンの風量を切り換えることを特徴とするため、使用者に季節を変更することを促すだけで、外気の花粉、粉塵等の浮遊粒子の室内への流入、侵入を防ぎ、清浄な外気に換気する清浄換気をすることができ、使用者に低価格な換気装置を提供することができる。
【００３０】
請求項８に記載の発明は、季節切り換え手段の代わりに天候を判定する天候判定手段を備えたことを特徴とするものであり、より正確に浮遊粒子を室内側に侵入することを防止する換気装置を提供することができる。
【００３１】
請求項９に記載の発明は、温度を検知する温度設定手段を備えたことを特徴とするものであり、天候と温度から浮遊粒子の飛散量を判定するため、より正確に花粉等の浮遊粒子を室内側に侵入することを防止する換気装置を提供する。
【００３２】
請求項１０に記載の換気装置の発明は、昼夜を判定する昼夜判定手段を設け、前記昼夜判定手段で夜と判定された場合は、換気装置内部にある給気を停止することを特徴とするため、浮遊粒子を完全に防止するため、使用者が夜寝ている間、花粉等の浮遊粒子を気にせずに眠れるような換気装置を提供する。
【００３３】
請求項１１に記載の換気装置の発明は、人の活動を検知する検知手段を備え、人の活動状態に応じて換気装置内部にある給気ファンと排気ファンの風量を変化することを特徴とするため、人の活動量が増えた場合においても、確実に換気回数を確保できる換気装置を提供する。
【００３４】
請求項１２に記載の発明は、人の活動を検知する代わりにＣＯ↓２検知手段を備えたことを特徴とするため、人の活動量が増えた場合においても、確実に換気回数を確保できる換気装置を提供する。
【００３５】
請求項１３に記載の換気装置において、第２の給気経路を備え、第２の給気経路には、フィルターの取り付け部分を備え、給気経路にはダンパーを備え、前記ダンパーは浮遊粒子の飛散量によって給気経路を変えることを特徴とするため、より正確に花粉等の浮遊粒子を室内側に侵入することを防止する換気装置を提供する。
【００３６】
以下、本願発明の実施の形態について図１〜図７を参照しながら説明する。
【００３７】
（前提例１）
本発明の換気装置の一例として、建物内の室内壁に設けられた同時給排換気扇を例にとり説明する。図１は本発明の実施形態１の換気装置の取り付け状態を示す側断面図であり、図２は同換気装置を壁部に取り付けた状態を示す断面図であり、図３に換気装置の運転動作を示すフローチャート図を示す。
【００３８】
図１、図２、図３に示すように、電動機１の両側の軸２に排気用ファン３と給気用ファン４を有し、排気用ファン３の流路を形成する排気用ケーシング５と、給気用ファン４の流路を形成する給気用ケーシング６および浮遊粒子検知手段７（例えば、単位体積当たりの粒子個数を電圧出力することができるほこりセンサー）を備えた換気装置８を、横長で箱状の本体９内に設けている。
【００３９】
また、本体９内には、給気用ファン４および排気用ファン３を制御する制御手段１０を設け、制御手段１０には、あらかじめ設定された浮遊粒子の飛散量とを比較して判定する判定手段１１を設け、また浮遊粒子の飛散量を表示する表示手段１２を設け、電動機１は、軸２を本体９の横長方向に合わせて横方向に配設し、排気用ケーシング５を本体９の左右方向の一方側に配設し、給気用ケーシング６を本体９のもう一方側に配設している。また、本体９の室内下方側となる下面に室内側排気口１３を設け、室内側排気口１３の対角線上となる本体９の上面に室内側給気口１４設けている。すなわち、室内側排気口１３は、排気用ケーシング５の配設されている本体９の一端側の下部に設けられ、室内側給気口１４は給気用ケーシング６の配設されている本体９のもう一端側の上部に設けられ、室内側排気口１３と室内側給気口１４とは、互いに対角方向に位置している。そして、排気用ケーシング５と本体９の前記一方側の内壁面との間に形成される空間を排気流路３３とし、本体９のもう一方側には、給気用ケーシング６の吹出し口と室内側給気口１４とを連通する給気流路３４を設けている。そして、室内側排気口１３と排気用ファン３を介して連通するように本体９の室外側に室外側排気口１５を設け、室内側給気口１４と給気用ファン４を介し連通するように本体９の室外側に室外側給気口１６を設け、室外側排気口１５は、壁部１７を貫通して室外と連通し排気経路を形成するように設けられる排気ダクト１８に接続し、室外側給気口１６は、壁部１７を貫通して室外と連通し給気経路を形成するように設けられる給気ダクト１９を設け、壁部１７の外面には排気ダクト１８と給気ダクト１９の室外開口から雨水が侵入しないように防雨フード２０を設け構成している。
【００４０】
制御手段１０と判定手段１１を図３のフローチャートにしたがって説明する。制御手段１０は、制御手段１０に電源が印加されると制御手段１０のプログラムが処理（ステップ２〜７）を開始し、排気用ファン３と給気用ファン４の運転をある一定時間、例えば５分間通常より強い（例えば強回転）で運転を開始する命令を出力（ステップ３）し、制御手段１０より運転開始命令を受けると排気用ファン３は、排気用ファン３により本体９の下面に設けた室内側排気口１３より室内の下方側の空気が吸い込まれ、室外側排気口１５より排気ダクト１８を通り室外に排気され、給気用ファン４により室外の空気が給気ダクト１９を通り室外側給気口１６に吸い込まれ浮遊粒子検知手段７が浮遊粒子の飛散量の検知を開始し始め（ステップ４）、浮遊粒子検知手段７の情報が制御手段１０に入力され、浮遊粒子検知手段７の情報が制御手段１０に初期値として読み込まれ、読み込まれた値と予め設定している規定値に到達しているかどうかを判定され（ステップ５）、飛散量値が規定値に到達した場合は、表示手段１２が使用者に飛散量が多いことを促すサインを表示（ステップ６）すると同時に給気ファン４の風量（６畳の部屋において１４．５ｍ／ｈ）を確保できる回転（例えば、弱回転）で、且つ換気回数（０．７回）を守るくらいの弱さに変更（ステップ７）する。浮遊粒子が規定値にまだ到達していない時には、排気用ファン３と給気用ファン４は通常状態（例えば、中回転）で運転をされることとなる。
【００４１】
制御手段１０としては、上記フローがプログラムされたマイコンなどがある。判定手段１１は、浮遊粒子検知手段７の情報が制御手段１０に初期値として読み込まれ、読み込まれた値と予め設定している規定値に到達しているかどうかを判定される（ステップ５）ものである。判定手段１１としては、上記フローがプログラムされたマイコンなどがある。
【００４２】
制御手段１０としては、例えばマイクロコンピュータを用いて実現することが可能であり、このマイクロコンピュータには、一連の動作が可能なプログラムが書き込まれている。
【００４３】
判定手段１１としては、例えばマイクロコンピュータ内部に書き込まれているプログラムの一部である。表示手段１２としては、例えばＬＥＤを用いて実現することが可能である。
【００４４】
以上のように構成した本体９は、浮遊粒子検知手段７で検知した結果に基づいて排気用ファン３と給気用ファン４を制御することができ、フィルター無しで浮遊粒子を抑制することができるため、使用者の掃除、メンテナンス等の時間を削減することができ、高所の場合においては、安全性も高めることができる。
【００４５】
浮遊粒子検知手段７（ほこりセンサー）の代わりに花粉センサー，粉塵センサーを利用したとしても作用効果は同じである。
【００４６】
表示手段１２は、一例してＬＥＤを用いたが表示することができる手段（例えば液晶等）を用いて実現したとしても作用効果は同じである。
【００４７】
（実施の形態１）
実施の形態１について、図４および図５を参照しながら説明する。なお、前提例１と同一部分については同一番号を附し詳細な説明は省略する。
【００４８】
前日の浮遊粒子飛散量を記憶する記憶手段２１（例えば、ＥＥＰＲＯＭ）を制御手段１０に設ける構成とする。
【００４９】
上記構成において、本実施の形態に係る同時給排換気扇の動作を図５に示すフローチャートを用いて説明する。
【００５０】
ステップ１〜ステップ７に至るフローは上述の前提例１において図３をもとに説明したものと同様である。ステップ１〜７に対する変更点について以下に説明する。
【００５１】
排気用ファン３と給気用ファン４を制御するマイクロコンピュータに電源が印加される（ステップ２）。マイクロコンピュータに電源が印加されるとマイクロコンピュータ内部にあるタイマー機能（ステップ２Ａ）がタイマーカウントを始めると同時に浮遊粒子検知手段７が浮遊粒子の飛散量の検知を開始し始める（ステップ４）。浮遊粒子飛散量の検知を開始すると記憶手段２１が動作を開始し（ステップ４Ａ）、排気用ファン３と給気用ファン４の運転パターンと浮遊粒子検知手段７の出力状態を１日分記憶する（ステップ５）
。
【００５２】
比較手段２２は、浮遊粒子検知手段７が検知した浮遊粒子飛散量が前日の浮遊粒子飛散量と比較するものであり、上記フローがプログラムされたマイコンなどがある。
【００５３】
タイマー機能（ステップ２Ａ）が１日分のカウントを終了し、再びカウントを始めた時に、浮遊粒子検知手段７が検知した浮遊粒子飛散量が前日の浮遊粒子飛散量と比較して同じ場合には、例えば、前日の浮遊粒子検知手段７出力状態がカウントを始めて１０分後に飛散量が多くなると前日判定していたならば、前日の浮遊粒子飛散量を予測して前日の運転パターンより１０分早めに風量を可変（弱運転）することとなる。
【００５４】
以上のように構成した本体９は、浮遊粒子の飛散量から排気用ファン３と給気用ファン４を少し早めに制御するため、より正確に浮遊粒子を室内側に侵入することを防止する換気装置を提供することができる。
【００５５】
次に、浮遊粒子検知手段７の代りに季節を切り換える季節切り換え手段２２を使用する構成を説明する。
【００５６】
浮遊粒子（例えば、花粉）の飛散量は３月〜５月までが多く、その他の月はほとんど飛散しないというデーターがあるため、浮遊粒子の飛散量を予測して記憶手段２１Ａ（図示せず）に記憶し、排気用ファン３と給気用ファン４の運転パターンを記憶しておく。
【００５７】
本体９には、季節によって使用者が季節を切り換えることが出来る季節切り換え手段２３（例えば、スライドＳＷ）を設ける構成とする。
【００５８】
以上のように構成した本体９は、季節切り替え手段だけで浮遊粒子の侵入を抑制することが出来るため、使用者に低価格の換気装置を提供することができる。
【００５９】
次に、季節切り替え手段２３の代りに天候判定手段２４（例えば、太陽電池の発電量で判断）と温度検知手段２５を使用する構成を説明する。
【００６０】
浮遊粒子（例えば花粉）は、前年の夏に生育することが知られている。夏の天候が花粉生育量に影響し、気温が高く日照時間が長いと花粉が多く生産され、降水量が多いと逆に生産は少なくなることが知られている。
【００６１】
また、花粉の飛散開始はその日の天候に大きく左右され、暖かくなり、南からの風が強くなると突発的に飛散が開始する傾向があるため、直前の天候を監視する必要性があるため、制御手段１０内部には、前年の気象条件を記憶する記憶手段２１（例えば、ＥＥＰＲＯＭ）を設け、室外側給気口１６には、天候を判定することができる天候判定手段２４（例えば太陽電池）を設け、室外の温度が測定できる温度検知手段２５（例えばサーミスタ）を設け、給気ダクト１９が室外と接する面には風速検知手段２６（例えば風速センサー）を設ける構成とする。
【００６２】
以上のように構成した本体９は、前年の気象条件とその日の天候から浮遊粒子（花粉）の飛散量を想定して排気用ファン３と給気用ファン４を制御するため、より正確に浮遊粒子を室内側に侵入することを防止する換気装置を提供することができる。
【００６３】
（実施の形態２）
実施の形態２について、図６および図７を参照しながら説明する。なお、前提例１と同一部分については同一番号を附し詳細な説明は省略する。
【００６４】
昼夜を判定する昼夜判定手段２７を制御手段１０に設ける構成とする。
【００６５】
上記構成において、本実施の形態に係る同時給排換気扇の動作を図７に示すフローチャートを用いて説明する。
【００６６】
ステップ１〜ステップ７に至るフローは上述の前提例１において図２をもとに説明したものと同様である。ステップ７に続くフローについて以下に説明する。
【００６７】
昼夜判定手段２７の一例で光センサーを用いて昼夜判定を行い、光センサー（ステップ８）が夜と判定し、且つ浮遊粒子検知手段７が浮遊粒子の飛散量が多いと判定された場合は、排気用ファン３と給気用ファン４を停止することとなる。
【００６８】
上記構成において、夜寝ているときに浮遊粒子（例えば花粉）等が侵入すると花粉症の人は眠れない恐れがある。排気用ファン３と給気用ファン４を停止するため、夜間においては、浮遊粒子を室内側に完全に侵入することを防止する換気装置を提供することが出来る。
【００６９】
（実施の形態３）
実施の形態３について、図８および図９を参照しながら説明する。なお、前提例１と同一部分については同一番号を附し詳細な説明は省略する。
【００７０】
人の活動を検知する検知手段２８を制御手段１０に設ける構成とする。
【００７１】
上記構成において、本実施の形態に係る同時給排換気扇の動作を図９に示すフローチャートを用いて説明する。
【００７２】
ステップ１〜ステップ７に至るフローは上述の前提例１において図２をもとに説明したものと同様である。ステップ７に続くフローについて以下に説明する。
【００７３】
人の活動を検知する検知手段２８の一例で焦電力赤外センサー（ステップ９）が人認識をした場合で且つ浮遊粒子検知手段７が浮遊粒子の飛散量が少ないと判定された場合は、排気用ファン３と給気用ファン４を通常状態（例えば、中回転）から通常より強い（例えば強回転）で運転されることとなる。
【００７４】
上記構成において、人の在室が確認され活動量があると判定された場合は、給気の量を増やすことができるため、換気を確実にできるような換気装置を提供することができる。また、人の活動を検知する検知手段２８を人感センサーを用いて説明したがＣＯ↓２センサーを利用したとしても作用効果は同じである。
【００７５】
（実施の形態４）
実施の形態４について、図１０および図１１を参照しながら説明する。なお、前提例１と同一部分については同一番号を附し詳細な説明は省略する。
【００７６】
給気ダクト１９は第１給気経路２９と第２給気経路３０を備え、第２給気経路３０の要所にはフィルター３１を備え、給気ダクト１９には、第１給気経路２９と第２給気経路３０を切り換えるダンパー３２を備えた構成とする。
【００７７】
また、浮遊粒子検知手段７を備えた換気装置８に設けたが、浮遊粒子検知手段７は給気ダクト１９が室外と接する面に備える構成とする。
【００７８】
上記構成において、同時給排換気扇の動作を図１１に示すフローチャートを用いて説明する。
【００７９】
ステップ１〜ステップ５に至るフローは上述の前提例１において図２をもとに説明したものと同様である。ステップ５に続くフローについて以下に説明する。
【００８０】
同時給排換気扇の排気用ファン３と給気用ファン４を運転するために電源が投入されると（ステップ１）、排気用ファン３と給気用ファン４を制御する制御手段１０に電源が印加される（ステップ２）。制御手段１０に電源が印加されると制御手段１０が排気用ファン３と給気用ファン４の運転をある一定時間、通常より強い（例えば強回転）で運転を開始する命令を出力する（ステップ３）。運転開始命令を受けると排気用ファン３は、排気用ファン３により本体９の下面に設けた室内側排気口１３より室内の下方側の空気が吸い込まれ、室外側排気口１５より排気ダクト１８を通り室外に排気され、給気用ファン４により室外の空気が給気ダクト１９を通り室外側給気口１６に吸い込まれ浮遊粒子検知手段７が浮遊粒子の飛散量の検知を開始し始める（ステップ４）。
【００８１】
判定手段９により、浮遊粒子の飛散量値があらかじめ決められた規定値に達するかどうかが判定され（ステップ５）、飛散量値が規定値に到達すると、ダンパー３２が第１給気経路２９から第２給気経路３０に変更（ステップ９）し、フィルター３１を通して給気することとなる。
【００８２】
また、飛散量値が規定値に到達しない場合は、ダンパー３２が第２給気経路３０から第１給気経路２９に変更（ステップ１０）し、自然に給気することとなる。
【００８３】
上記構成において、飛散量値が多いと判定された時のみフィルター３１を通して給気するためフィルター３１の掃除,メンテナンス回数を軽減することができ浮遊粒子の侵入を防止する換気装置を提供することが出来る。
【産業上の利用可能性】
【００８４】
本発明にかかる建物に取り付けられる換気装置は、浮遊粒子の侵入を抑制するものである製品において広く有用である。
【符号の説明】
【００８５】
１    電動機
２    軸
３    排気用ファン
４    給気用ファン
５    排気用ケーシング
６    給気用ケーシング
７    浮遊粒子検知手段
８    換気装置
９    本体
１０  制御手段
１３  室内側排気口
１４  室内側給気口
１５  室外側排気口
１６  室外側給気口
１７  壁部
１８  排気ダクト
１９  給気ダクト
２０  防雨フード
２１  記憶手段
２２  比較手段
２３  季節切り替え手段
２４  天候判定手段
２５  温度検知手段
２６  風速検知手段
２７  昼夜判定手段
２８  検知手段
２９  第１給気経路
３０  第２給気経路
３１  フィルター
３２  ダンパー
３３  排気流路
３４  給気流路
【図１】
0004742694.tif 000002
【図２】
0004742694.tif 000003
【図３】
0004742694.tif 000004
【図４】
0004742694.tif 000005
【図５】
0004742694.tif 000006
【図６】
0004742694.tif 000007
【図７】
0004742694.tif 000008
【図８】
0004742694.tif 000009
【図９】
0004742694.tif 000010
【図１０】
0004742694.tif 000011
【図１１】
0004742694.tif 000012
【図１２】
0004742694.tif 000013